(57)【要約】【課題】カメラボディ側で記録が行なわれている最中にカメラヘッドが外れて記録中の映像情報が破壊されることのないカメラシステムを提供する。【解決手段】  カメラヘッド１ａをカメラボディ１ｂに装着するときにカメラヘッド１ａとカメラボディ１ｂとを締結する締結機構（例えばバヨネットマウント構造）の一部であるロックピン１９２ｂを引き抜くためのロックボタン１９ｂを設ける。ロックボタン１９ｂが押操作されたときにロックボタンの先端によりリリーススイッチを押してカメラヘッドの取外しが行なわれることを取外しが行なわれる前に本体ＣＰＵ１００ｂに通知する。本体ＣＰＵはその通知を受けて記録部の記録メディアへの記録処理を停止させる。【選択図】  図２
2006295619.tif 000002
【特許請求の範囲】
【請求項１】
撮影光学系と撮像素子を備えて映像情報を生成するカメラヘッドと、該カメラヘッドが着脱自在に装着され該カメラヘッドから映像情報を受け取って記録メディアに記録するカメラボディとを備えたカメラシステムにおいて、
前記カメラヘッドの、前記カメラボディからの取外し操作を、該カメラヘッドから該カメラボディへの映像情報の通信が可能な段階で検出する取外操作検出手段と、
前記取外操作検出手段による前記カメラヘッドの取外操作の検出を受けて映像情報の記録を停止する記録制御手段とを備えたことを特徴とするカメラシステム。
【請求項２】
前記カメラボディが、ロックボタンと前記カメラヘッドを前記カメラボディに取外不能に締結するとともに該ロックボタンの操作により取外し自在な状態に移行する締結機構とを備え、
前記取外操作検出手段が、前記ロックボタンの操作を検出するものであることを特徴とする請求項１記載のカメラシステム。
【請求項３】
前記締結機構は、前記ロックボタンが所定の全操作位置まで操作されたことにより取外し自在な状態に移行するものであって、
前記取外操作検出手段は、前記ロックボタンが前記全操作位置まで操作されるよりも前の途中の操作位置まで操作されたことを検出するものであることを特徴とする請求項２記載のカメラシステム。
【請求項４】
前記カメラヘッドおよび前記カメラボディが、該カメラヘッドの該カメラボディへの装着状態において互いに接して映像情報を伝達する映像情報伝達用電気接点と、該カメラヘッドの、該カメラボディからの取外し操作を受けて前記映像情報伝達用電気接点が非導通状態に変化するよりも前に状態が変化する取外検出用電気接点とを有し、
前記取外操作検出手段は、前記取外検出用電気接点の状態変化を検出するものであることを特徴とする請求項１記載のカメラシステム。
【発明の詳細な説明】
【技術分野】
【０００１】
本発明は、撮影光学系と撮像素子を備えて映像情報を生成するカメラヘッドと、そのカメラヘッドが着脱自在に装着されそのカメラヘッドから映像情報を受け取って記録メディアに記録するカメラボディとを備えたカメラシステムに関する。
【背景技術】
【０００２】
映画の世界等では、映像用のフィルムの１カットをスチール画としてポスターなどに利用することがある。このようにスチール画がムービ画像の中から取り出せると非常に便利なので最近のビデオカメラ等ではムービ画像の中からスチール画を取り出すことができるように工夫を施しているものもある（例えば特許文献１参照）。この特許文献１では、ムービ画撮影中に高速シャッタ撮影を組み入れて高画素からなる高精細なスチール画を後から取り出せるようにしてしている。しかしながら、このようにムービ画の中に高画素からなる高精細な画像を組み込むようにすると、大容量の記録メディアが必要になるという欠点も持つ。そこでムービ画を記録するにあたっては、パーソナルコンピュータ等では当たり前のように用いられているハードディスクやＤＶＤといった大容量の記録メディアを用いようとする動きが盛んになってきている。このように大容量の記録メディアが用いられるようになってくると、相当量の画像データの記録が行なえるようになり、様々な映像情報を１つの記録メディア内にまとめることができるようになる。
【０００３】
このように様々な映像情報を１つの記録メディア内にまとめることができるようになった最近の映像情報機器にあっては、画像データを記録するにあたって記録中に記録メディアが取り出されたりすると折角一つの記録メディアにまとめた映像情報がすべて破壊されてしまうので記録中に記録メディアが取り出されないようにロック機構が施されているものが多い。また記録中に映像情報機器が振動したり、落下したりしたときに書込ヘッド部に振動や落下の衝撃が伝わって映像情報が破壊されないようにプロテクト機能が組み込まれているものもある（特許文献２，３参照）。
【０００４】
ところで最近では、ビデオカメラ以外のデジタルカメラにおいてもムービ撮影が行なえるようになってきており、そのようなデジタルカメラの中にはカメラヘッドとカメラボディとが分離構成され、撮影時にカメラヘッドがカメラボディに装着されて撮影が行なわれるようなものもある。このようなカメラシステムの場合には上記特許文献の技術により振動や落下に対して保護機能が働くようになっていたとしても、記録中にカメラヘッドがカメラボディから外されてしまう、あるいは外れてしまうと上記保護機能が働かずに記録中の映像情報ばかりでなく記録メディア内の映像情報がすべて破壊されてしまう恐れがある。これは、記録中にカメラヘッドがカメラボディから外れて、あるいは故意に外されてしまうと、カメラヘッドとカメラボディとの双方にそれぞれ設けられている電気接点の接続が急に断たれてしまうため、その電気接点側から瞬時尖頭値の大きいサージ電圧が双方の内部回路に向けて印加されることによる。
【特許文献１】特開平６−１８９１６９号公報
【特許文献２】特開２００１−１４３３７１号公報
【特許文献３】特開平９−２３１６８３号公報
【発明の開示】
【発明が解決しようとする課題】
【０００５】
本発明は、上記事情に鑑み、カメラボディ側で記録が行なわれている最中にカメラヘッドがカメラボディから外されたとしても記録中の映像情報を含む記録メディア内の映像情報が破壊されることのないカメラシステムを提供することを目的とする。
【課題を解決するための手段】
【０００６】
上記目的を達成する本発明のカメラシステムは、撮影光学系と撮像素子を備えて映像情報を生成するカメラヘッドと、そのカメラヘッドが着脱自在に装着されそのカメラヘッドから映像情報を受け取って記録メディアに記録するカメラボディとを備えたカメラシステムにおいて、
上記カメラヘッドの、前記カメラボディからの取外し操作を、そのカメラヘッドからそのカメラボディへの映像情報の通信が可能な段階で検出する取外操作検出手段と、
前記取外操作検出手段による前記カメラヘッドの取外操作の検出を受けて映像情報の記録を停止する記録制御手段とを備えたことを特徴とする。
【０００７】
上記本発明のカメラシステムによれば、上記カメラヘッドが上記カメラボディから取外し操作により取り外されそうになったときには上記取外操作検出手段による検出を受けて上記記録制御手段により映像情報の記録が停止される。
【０００８】
そうすると、上記カメラヘッドが上記カメラボディから取り外される前に映像情報の記録が停止されるため、取り外されている最中にサージ電圧が印加されて内部回路が破壊されるようなことが起こらなくなって記録中の映像情報並びに記録メディア例えばＤＶＤ内に記録されている映像情報が破壊されてしまうようなことが防止される。
【０００９】
ここで、上記カメラボディが、ロックボタンと上記カメラヘッドを上記カメラボディに取外不能に締結するとともにそのロックボタンの操作により取外し自在な状態に移行する締結機構とを備え、
上記取外操作検出手段が、上記ロックボタンの操作を検出するものであることが好ましい。
【００１０】
そうすると、上記カメラヘッドが上記カメラボディ側の上記記録制御手段に何の断りもなく取り外されるといったことがなくなり、必ずロックボタンの操作によりこれから取り外されるということが上記記録制御手段に通達されて記録処理が停止されてからカメラヘッドの取外しが行なわれるようになる。
【００１１】
すなわち、カメラボディ側で記録が行なわれている最中にカメラヘッドがカメラボディから外されたとしても記録中の映像情報を含む記録メディア内の映像情報が破壊されることのないカメラシステムが実現される。
【００１２】
また、上記締結機構は、上記ロックボタンが所定の全操作位置まで操作されたことにより取外し自在な状態に移行するものであって、
上記取外操作検出手段は、上記ロックボタンが上記全操作位置まで操作されるよりも前の途中の操作位置まで操作されたことを検出するものであることが好ましい。
【００１３】
そうすると、たとえ上記ロックボタンが一気に押し込まれたとしても、取り外される前に必ず上記取外操作検出手段の検出結果が上記記録制御手段に通達されて記録処理が停止されてから上記カメラヘッドの取外しが行なわれるようになる。
【００１４】
さらに、上記カメラヘッドおよび上記カメラボディが、そのカメラヘッドのそのカメラボディへの装着状態において互いに接して映像情報を伝達する映像情報伝達用電気接点と、そのカメラヘッドの、そのカメラボディからの取外し操作を受けて上記映像情報伝達用電気接点が非導通状態に変化するよりも前に状態が変化する取外検出用電気接点とを有し、
上記取外操作検出手段は、上記取外検出用電気接点の状態変化を検出するものであることが好ましい。
【００１５】
そうすると、上記映像情報伝達用電気接点が導通状態にあったとしても取外し操作に応じて最初に上記取外検出用電気接点の状態が変化してこれからカメラヘッドがカメラボディから取り外されることが上記取外操作検出手段によりいち早く検出されることになるので、映像情報が電気接点を通って伝達されている最中にカメラヘッドが取り外されるといったことが起こらなくなる。
【００１６】
ここで、上記取外検出用電気接点の状態が変化するということは、装着時にその取外検出用電気接点が接触状態にあって取外し操作の初期で非接触状態に変化するものであっても、装着時は非接触状態にあって取外し操作の初期で接触状態に変化するものであっても良い。
【発明の効果】
【００１７】
以上、説明したように、カメラボディ側で記録が行なわれている最中にカメラヘッドがカメラボディから外されたとしても記録中の映像情報を含む記録メディア内の映像情報すべてが破壊されることのないカメラシステムが実現される。
【発明を実施するための最良の形態】
【００１８】
以下、本発明の実施の形態について説明する。
【００１９】
図１は、本発明の一実施形態であるカメラシステムの外観を示す図である。
【００２０】
図１には、撮影光学系と撮像素子とを備えたカメラヘッド１ａが、そのカメラヘッド１ａが着脱自在に装着されカメラヘッド１ａから画像信号を受け取って信号処理を行なうカメラボディ１ｂに装着される直前の状態が示されている。
【００２１】
図１に示すようにカメラボディ１ｂの中央には、多数のマウント接点を持つヘッドマウント１０ｂが設けられていてカメラヘッド１ａの端部がそのマウント部１０ｂに装着されるようになっている。カメラヘッド１ａの端部とカメラボディ１ｂのマウント部１０ｂはバヨネットマウント構造になっていて、双方に爪が３あるいは４箇所づつ設けられて装着時に噛み合うようになっているが、図１には示していない。
【００２２】
したがって、カメラヘッド１ａの端部がカメラボディ１ｂのマウント部１０ｂに嵌め込まれる様に回動されながら装着されると、カメラヘッドがカメラ本体にしっかりと締結されるとともに、多数のマウント接点同士が各々接続されカメラヘッド１ａとカメラボディ１ｂとが電気的にも接続される。
【００２３】
このカメラシステム１は、カメラボディ１ｂ側にバッテリが配備され、そのバッテリからカメラボディに電力が供給されるとともに、カメラヘッド１ａとカメラボディ１ｂとの双方が備える多数のマウント接点の中の電力用接点を通してカメラヘッドにも電力が供給される構成になっている。その電力用の接点を通してカメラボディのバッテリの電力がカメラヘッドに供給されると、カメラヘッド１ａとカメラボディ１ｂとの双方がともに動作状態になる。
【００２４】
また、カメラボディ１ｂのボディ上面にはレリーズ釦１３ｂとモードダイヤル１４ｂが配備されており、そのモードダイヤル１４ｂにより撮影モードが選択されレリーズ釦１３ｂが押下されると撮影が行なわれて図１に示すマウント部１０ｂの電気接点を経由してカメラヘッドからの映像情報がカメラボディに供給されるようになっている。そのモードダイヤル１４ｂの中には、撮影モード以外に再生モードや電源スイッチなどの項目もあり、回転操作によりそれらの項目の中の一つが選択される。またカメラボディ１ｂの前面にはＡＷＢセンサ１１ｂや閃光発光窓１２ｂなどが設けられている。
【００２５】
また、本実施形態のカメラシステム１を構成するカメラボディ１ｂにはロックボタン１９ｂが設けられており、マウント部１０ｂには、そのロックボタン１９ｂの押操作に連動して進退するロックピン１９２ｂが設けられている。このロックピン１９２ｂは、本実施形態のカメラシステムが備えるバヨネットマウントの一部を構成するものであり、本実施形態ではその公知であるバヨネットマウント構造そのものが本発明にいうところの締結機構に該当する。
【００２６】
カメラヘッド１ａがカメラボディ１ｂに装着されたときにはそのバヨネットマウント部が備えるロックピン１９２ｂがカメラヘッド側に突出してカメラヘッド１ａ側の孔に係合することによりカメラヘッド１ａが回動不能にカメラボディ１ｂにしっかりと締結される構成になっている。
【００２７】
なお、カメラボディ１ｂ内部には、ロックボタン１９ｂをカメラボディ１ｂ前面側に付勢するバネが配設されており、取り外し時にはそのバネに逆らうようにロックボタン１９ｂを内部に押し込むようにするとロックピン１９０ｂとカメラヘッド１ａ側の孔との係合が解かれてカメラヘッド１ａが取外し自在になる構成になっている。
【００２８】
ここで図２を参照して締結機構の構成を説明する。
【００２９】
図２は、ロックボタン１９ｂ周辺の構成を示す模式図である。
【００３０】
図２にはカメラボディ１ｂ内のロックボタン１９ｂ周辺の内部構成が模式的に示されている。
【００３１】
図２の左側にカメラヘッド１ａが装着されるマウント部１０ｂが示されていてロックボタン１９ｂがそのマウント部１０ｂの脇に設けられていることが示されている。このロックボタン１９ｂは操作部位１９１ｂ側の半径が取付部１９２ｂ側の円筒部の半径よりも大きくなる、２段の円筒構造を有しており、そのロックボタン１９ｂの取付部１９２ｂの周りに操作部位１９１ｂをカメラボディ１ｂから突出する方向へ付勢するバネ１９３ｂが巻回されている。ロックボタン１９ｂの取付部１９１ｂはその取付部１９１ｂが移動することができるようにカメラボディ１ｂ側の固定部１１ｂが有する孔１１０ｂに嵌め込まれており、さらに上記バネ１９３ｂはその固定部１１ｂと上記操作部位１９０ｂとに挟み込まれるようにして配設されている。また、２段円柱構造の境目にロックピン１９２ｂが備える係合片１９２１ｂが接するようにして配設されており、上記バネ１９３ｂによりロックボタン１９ｂとともにカメラボディ１ｂから突出する方向に付勢されている。したがって、カメラヘッド１ａが装着されていないときにはバネ付勢によりロックピン１９ｂはロックボタン１９２ｂ共々カメラボディ１ｂ前面から突出するようになる。その状態にあるときにカメラヘッド１ａがカメラボディ１ｂに装着されようとしてカメラヘッド１ａがバヨネットマウント部の環溝に係合され回動され始めると最初のうちはロックピン１９２ｂがボディ内側に押されるようになる。その後カメラヘッド１ａが回動されていくとロックピン１９２ｂを受け入れる孔がロックピン１９２ｂに正対する位置に来るので、カメラボディ側のロックピン１９２ｂが勢い良く孔に嵌入することによってカメラヘッド１ａとカメラボディ１ｂとが回動不能にしっかりと締結される。逆にカメラヘッド１ａをカメラボディ１ｂから取り外す場合には、ロックボタン１９ｂを押してロックピン１９２ｂをカメラボディ側に押す操作を行なえば良い。
【００３２】
図２にはカメラヘッド１ａがカメラボディ１ｂにしっかりと締結されたときにロックピン１９ｂがカメラボディ１ｂ側から突出してカメラヘッド１ａ側の係合孔に入り込んでいる状態が示されている。この状態にあるときに撮影が行なわれると、カメラヘッド１ａ側の撮像素子で生成された映像情報が記録部１０２ｂにより記録メディア（不図示）に記録される。その撮影を行なっている最中に、もしもカメラヘッド１ａを取り外そうとしてロックボタン１９ｂが押されたら、そのロックボタン１９ｂの先端に位置しているリリーススイッチ１０１ｂが作動して取り外される直前に本体ＣＰＵ１００ｂにこれからカメラヘッド１ａの取外しが行なわれるということが通知される。そうしたら、本体ＣＰＵ１００ｂは、取外しが行なわれる前に記録部１０２ｂに指示して即時記録処理の停止を命じ、記録処理を停止させる。
【００３３】
このようにすると、記録部１０２ｂが記録メディアに映像情報を記録している最中に取り外しが行なわれて、マウント部１０ｂ付近にある電気接点から記録メディアなどにサージ電圧が印加されるようなことが防止される。
【００３４】
すなわち、カメラボディ１ｂ側で映像情報の記録が行なわれている最中にカメラヘッド１ａがカメラボディ１ｂから外されたとしても先に記録部１０２ｂの記録動作を停止する処理が行なわれるので、記録中の映像情報を含む記録メディア内の映像情報が破壊されることのないカメラシステムが実現される。
【００３５】
ここで、図３を参照して本発明にいう記録制御手段にあたる本体ＣＰＵ１００ｂが行なう処理を整理して説明しておく。
【００３６】
図３は、本体ＣＰＵ１００ｂが行なう記録停止処理を説明する図である。
【００３７】
図１に示すレリーズボタンが押されたときにこのフローの処理が開始される。
【００３８】
ステップＳ３０１でレリーズボタン１３ｂ（図１参照）が押されて映像情報を記録メディアに記録している最中にロックボタン１９ｂ（図１、図２参照）が押されているかどうかを判定する。ここでロックボタン１９ｂが押されていると判定したらＹ側に進み記録部１０２ｂ（図２参照）の記録処理を停止する。
【００３９】
このようにすると、カメラボディ側の記録部により映像情報の記録が行なわれている最中にカメラヘッド１ａがカメラボディ１ｂから外されたとしても記録中の映像情報を含む記録メディア内の映像情報が破壊されることのないカメラシステムになる。
【００４０】
図２に示す構造でも良いが、各部の寸法の取合状況によってはロックボタン１９ｂが一気押しされるとリリーススイッチ１０１ｂの作動状態とロックピン１９２ｂがボディ側に押されて取外し自在になるタイミングとが一緒になってしまう恐れがある。そこで、先にリリーススイッチ１０１ｂが動作するように工夫を施しておく必要がある。
【００４１】
図４は、その構造を説明する図である。
【００４２】
図４（ａ）にはロックボタン１９ｂが操作される前の状態が示されており、図４（ｂ）にはロックボタン１９ｂの操作が開始された直後の状態が示されており、図４（ｃ）にはロックボタン１９ｂが押し切られたときの状態が示されている。
【００４３】
ここでは、図４（ｃ）に示すようにロックボタン１９ｂが押し切られてロックピン１９２ｂがカメラボディ１ｂの前面に対して面一になるところまで操作されたときに始めてカメラヘッド１ａの取外しが行なえるようにロックボタン１９ｂの操作部位１９０ｂおよび取付部１９１ｂの寸法、さらにカメラボディ側の固定部１１ｂの配設位置を決めている。
【００４４】
つまり、本発明にいう、ロックボタン１９ｂが所定の全操作位置（図４（ｃ）参照）まで操作されたことにより取外し自在な状態に移行するものであって、取外操作検出手段であるリリーススイッチ１０１ｂが、ロックボタン１９ｂが全操作位置（図４（ｃ）参照）まで操作されるよりも前の途中の操作位置（図４（ｂ）参照）まで操作されたことを検出するものである訳である。
【００４５】
図５は、変形例を示す図である。
【００４６】
図５には、カメラヘッドとカメラボディとの双方の映像情報用電気接点並びに取外用電気接点の構成を示す図である。
【００４７】
図５（ａ）には、カメラボディ側の映像情報用電気接点１０３ｂと取外検出用電気接点１０３１ｂの構成が示されており、図５（ｂ）には、カメラヘッド側の情報用電気接点および取外検出用電気接点１００ａの構成が示されている。さらに図５（ｃ）には、カメラヘッド１ａがカメラボディ１ｂに装着された状態にあるときにカメラボディ１ｂ側の映像情報用電気接点１０３ｂさらに取外検出用電気接点１０３１ｂとカメラヘッド側の映像情報用電気接点および取外し検出用電気接点１００ａとがそれそれ接触している状態が示されている。
【００４８】
この実施例においては、図５（ａ）に示すようにカメラボディ１ｂ側の取外用電気接点１０３１ｂの配列間隔と他の映像情報用電気接点の配列間隔とを変えている。このようにしておくと、図５（ｃ）に示す状態から矢印の方向に回動してカメラヘッド１ａを取り外そうとしたときに、図５（ｃ）に示す取外用電気接点１０３１ｂがどの電気接点よりも先にオフ状態になるので、これを本体ＣＰＵ１００ｂで検知して記録部１０２ｂの記録処理を停止させるようにすることができる。
【００４９】
すなわち、カメラヘッド１ａおよびカメラボディ１ｂが、カメラヘッド１ａのそのカメラボディ１ｂへの装着状態において互いに接して映像情報を伝達する映像情報伝達用電気接点１０３ｂとそのカメラヘッドの、そのカメラボディからの取外し操作を受けて映像情報伝達用電気接点１０３ｂが非導通状態に変化するよりも前に状態が変化する取外検出用電気接点１０３１ｂを有し、取外操作検出手段である本体ＣＰＵ１００ｂは、取外検出用電気接点１０３１ｂの状態変化を検出するものであるということになる。
【００５０】
図６は、そのときの本体ＣＰＵ１００ｂが行なう処理を説明する図である。
【００５１】
図１に示すレリーズボタンが押されたときにこのフローの処理が開始される。
【００５２】
ステップＳ６０１でレリーズボタン１３ｂ（図１参照）が押されて映像情報を記録メディアに記録している最中にカメラヘッド１ａが回動操作により取り外されようとしているかどうかを判定する。ここで図５に示す取外検出用電気接点１０３１ｂの導通がオフ状態になっていると判定したらＹ側に進みステップＳ６０２で記録部１０２ｂ（図２参照）の記録処理を停止する。
【００５３】
以上説明したように、カメラボディ１ｂ側で記録が行なわれている最中にカメラヘッド１ａがカメラボディ１ｂから外されたとしても記録中の映像情報を含む記録メディア内の映像情報が破壊されることのないカメラシステムが実現される。
【図面の簡単な説明】
【００５４】
【図１】本発明の一実施形態であるカメラシステムの外観を示す図である。
【図２】ロックボタン周辺の構成を示す模式図である。
【図３】本体ＣＰＵ１００ｂが行なう記録停止処理を説明する図である。
【図４】カメラヘッドがカメラボディから取り外される前に必ずリリーススイッチが動作するようにするための構造を説明する図である。
【図５】変形例を示す図である。
【図６】本体ＣＰＵ１００ｂが行なう処理を説明する図である。
【符号の説明】
【００５５】
１  カメラシステム
１ａ  カメラヘッド
１ｂ    カメラボディ
１９ｂ    ロックボタン
１９０ｂ    操作部位
１９１ｂ    取付部
１９２ｂ    ロックピン
１９３ｂ    バネ
１００ｂ    本体ＣＰＵ
１０３ｂ    映像情報用電気接点
１０３１ｂ    取外検出用電気接点
【図１】
2006295619.tif 000003
【図２】
2006295619.tif 000004
【図３】
2006295619.tif 000005
【図４】
2006295619.tif 000006
【図５】
2006295619.tif 000007
【図６】
2006295619.tif 000008
【手続補正書】
【提出日】平成17年6月21日(2005.6.21)
【手続補正１】
【補正対象書類名】明細書
【補正対象項目名】００３１
【補正方法】変更
【補正の内容】
【００３１】
図２の左側にカメラヘッド１ａが装着されるマウント部１０ｂが示されていてロックボタン１９ｂがそのマウント部１０ｂの脇に設けられていることが示されている。このロックボタン１９ｂは操作部位１９０ｂ側の半径が取付部１９１ｂ側の円筒部の半径よりも大きくなる、２段の円筒構造を有しており、そのロックボタン１９ｂの取付部１９１ｂの周りに操作部位１９０ｂをカメラボディ１ｂから突出する方向へ付勢するバネ１９３ｂが巻回されている。ロックボタン１９ｂの取付部１９１ｂはその取付部１９１ｂが移動することができるようにカメラボディ１ｂ側の固定部１１ｂが有する孔１１０ｂに嵌め込まれており、さらに上記バネ１９３ｂはその固定部１１ｂと上記操作部位１９０ｂとに挟み込まれるようにして配設されている。また、２段円柱構造の境目にロックピン１９２ｂが備える係合片１９２１ｂが接するようにして配設されており、上記バネ１９３ｂによりロックボタン１９ｂとともにカメラボディ１ｂから突出する方向に付勢されている。したがって、カメラヘッド１ａが装着されていないときにはバネ付勢によりロックピン１９ｂはロックボタン１９２ｂ共々カメラボディ１ｂ前面から突出するようになる。その状態にあるときにカメラヘッド１ａがカメラボディ１ｂに装着されようとしてカメラヘッド１ａがバヨネットマウント部の環溝に係合され回動され始めると最初のうちはロックピン１９２ｂがボディ内側に押されるようになる。その後カメラヘッド１ａが回動されていくとロックピン１９２ｂを受け入れる孔がロックピン１９２ｂに正対する位置に来るので、カメラボディ側のロックピン１９２ｂが勢い良く孔に嵌入することによってカメラヘッド１ａとカメラボディ１ｂとが回動不能にしっかりと締結される。逆にカメラヘッド１ａをカメラボディ１ｂから取り外す場合には、ロックボタン１９ｂを押してロックピン１９２ｂをカメラボディ側に押す操作を行なえば良い。
【手続補正２】
【補正対象書類名】図面
【補正対象項目名】図２
【補正方法】変更
【補正の内容】
【図２】
2006295619.tif 000009